(57)【要約】    【課題】少なくとも１つの子機端末が有する通信プロトコルに対応したプログラムの書換機能を親機端末に備え、複数の子機端末のセンサにてセキュリティ異常が検出された場合においても正常な報知を行う。    【解決手段】少なくとも１つの子機端末１ａ、１ｂとの間で無線通信を行う親機端末２のＣＰＵ２０４は、カードスロット２０２に着脱自在に接続されたメモリカード３から読み出したプログラム又はＬＡＮ接続制御回路２０３を経由して外部ネットワーク４から伝送されてくるプログラムをもとに、当該子機端末のセンサ１００にて検出されるセキュリティ異常の情報を付与した無線データが受信されるデジタル制御型無線送受信回路２００を制御するためのプログラムを子機端末毎の通信プロトコルに対応したプログラムへと書き換える。このＣＰＵは、複数の子機端末から送信されてくる無線データを受信可能な受信時間を複数の子機端末から親機端末に送信可能な無線データの送信時間と比較して短く設定する。  【選択図】図１
2008061004.tif 000002
【特許請求の範囲】
【請求項１】
住戸窓、住戸扉、車等の安全確保箇所にて発生するセキュリティ異常を検出するためのセンサ（１００）を有する少なくとも１つの子機端末（１ａ、１ｂ）と、前記子機端末との間で無線通信を行い、前記子機端末のセンサにて検出されたセキュリティ異常を報知するための表示部（２０１）を有する親機端末（２）とを設け、
前記親機端末は、前記子機端末から送信されてくる無線データを受信するためのデジタル制御型無線送受信回路（２００）と、前記子機端末の周波数チャンネル、変調方式、伝送速度、パケット構成等の通信プロトコルに対応したプログラムで前記デジタル制御型無線送受信回路を制御するためのＣＰＵ（２０４）と、前記ＣＰＵが有するプログラムを前記子機端末毎の通信プロトコルに対応したプログラムに書き換えるためのメモリカード（３）が着脱自在に接続されるカードスロット（２０２）とを備えたことを特徴とする無線セキュリティ通報装置。
【請求項２】
住戸窓、住戸扉、車等の安全確保箇所にて発生するセキュリティ異常を検出するためのセンサ（１００）を有する少なくとも１つの子機端末（１ａ、１ｂ）と、前記子機端末との間で無線通信を行い、前記子機端末のセンサにて検出されたセキュリティ異常を報知するための表示部（２０１）を有する親機端末（２）とを設け、
前記親機端末は、前記子機端末から送信されてくる無線データを受信するためのデジタル制御型無線送受信回路（２００）と、前記子機端末の周波数チャンネル、変調方式、伝送速度、パケット構成等の通信プロトコルに対応したプログラムで前記デジタル制御型無線送受信回路を制御するためのＣＰＵ（２０４）と、前記ＣＰＵが有するプログラムを前記子機端末毎の通信プロトコルに対応したプログラムに書き換えるための外部ネットワーク（４）が接続されるＬＡＮ接続制御回路（２０３）とを備えたことを特徴とする無線セキュリティ通報装置。
【請求項３】
前記親機端末のＣＰＵは、複数の子機端末から送信されてくる無線データを受信可能な受信時間を、複数の子機端末から前記親機端末に送信可能な無線データの送信時間と比較して短く設定することを特徴とする請求項１又は請求項２記載の無線セキュリティ通報装置。
【請求項４】
前記親機端末のＣＰＵは、前記子機端末のセンサにて検出されるセキュリティ異常の相違に応じて前記表示部の表示内容を変更するプログラムを備えたことを特徴とする請求項１乃至請求項３のうち何れか１項記載の無線セキュリティ通報装置。
【発明の詳細な説明】
【技術分野】
【０００１】
本発明は無線セキュリティ通報装置に係り、特に、少なくとも１つの子機端末のセンサにて検出されたセキュリティ異常を、当該子機端末との間で無線通信が可能な親機端末にて報知することができる無線セキュリティ通報装置に関する。
【背景技術】
【０００２】
従来から、セキュリティセンサから感知信号を入力して警報音発生等のセキュリティ報知を行うセキュリティ装置等の住宅情報付加装置を備えて玄関等に設置されたドアホン装置との間で通話等を行う住宅情報盤システムが開示されている（例えば、特許文献１を参照。）。
【０００３】
この住宅情報盤システムによれば、住宅情報付加装置の親機あるいは副親機への接続の簡略が図られるとともに、副親機接続による多局化においても接続台数を減少することなくバス接続できる。さらには、ノイズの影響によって伝送異常を生ずることがない。
【０００４】
【特許文献１】特開平１０−１３６１０４号公報（段落番号「００１５」乃至「００４１」、第１図乃至第６図）
【発明の開示】
【発明が解決しようとする課題】
【０００５】
背景技術に記載した特許文献１の住宅情報盤システムにおいて、セキュリティセンサを構成する住戸情報付加装置とインターホン親機との間で信号伝送を行う手段としては、赤外線による光空間伝送手段が適用されている。この伝送手段を適用するにあたって、通常、送信側の住戸情報付加装置は、（電波の送受信、変復調における規則である）周波数チャンネル、変調方式、伝送速度、パケット構成等の所定の通信プロトコルを有しており、受信側のインターホン親機は、通信プロトコルに対応したプログラムを有している。
【０００６】
しかしながら、特許文献１の住宅情報盤システムにおいて、セキュリティセンサを構成する住戸情報付加装置を複数設置した場合、それぞれの住戸情報付加装置が有する通信プロトコルに対応したプログラムがインターホン親機に予め備えられていないと、正常な報知（警報報知）を行うことが困難となる虞があるばかりでなく、そのプログラムの設定変更手段も何ら備えられていなかった。
【０００７】
本発明は、この難点を解消するためになされたもので、少なくとも１つの子機端末が有する通信プロトコルに対応したプログラムの書換機能を親機端末に備え、複数の子機端末のセンサにてセキュリティ異常が検出された場合においても正常な報知を行うことができる無線セキュリティ通報装置を提供することを目的としている。
【課題を解決するための手段】
【０００８】
前述の目的を達成するため、本発明の第１の態様である無線セキュリティ通報装置は、住戸窓、住戸扉、車等の安全確保箇所にて発生するセキュリティ異常を検出するためのセンサを有する少なくとも１つの子機端末と、子機端末との間で無線通信を行い、子機端末のセンサにて検出されたセキュリティ異常を報知するための表示部を有する親機端末とを設けたものである。親機端末は、子機端末から送信されてくる無線データを受信するためのデジタル制御型無線送受信回路と、子機端末の周波数チャンネル、変調方式、伝送速度、パケット構成等の通信プロトコルに対応したプログラムでデジタル制御型無線送受信回路を制御するためのＣＰＵと、ＣＰＵが有するプログラムを子機端末毎の通信プロトコルに対応したプログラムに書き換えるためのメモリカードが着脱自在に接続されるカードスロットとを備えたものである。
【０００９】
また、本発明の第２の態様である無線セキュリティ通報装置は、住戸窓、住戸扉、車等の安全確保箇所にて発生するセキュリティ異常を検出するためのセンサを有する少なくとも１つの子機端末と、子機端末との間で無線通信を行い、子機端末のセンサにて検出されたセキュリティ異常を報知するための表示部を有する親機端末とを設けたものである。親機端末は、子機端末から送信されてくる無線データを受信するためのデジタル制御型無線送受信回路と、子機端末の周波数チャンネル、変調方式、伝送速度、パケット構成等の通信プロトコルに対応したプログラムでデジタル制御型無線送受信回路を制御するためのＣＰＵと、ＣＰＵが有するプログラムを子機端末毎の通信プロトコルに対応したプログラムに書き換えるための外部ネットワークが接続されるＬＡＮ接続制御回路とを備えたものである。
【００１０】
また、本発明の第３の態様である無線セキュリティ通報装置は、本発明の第１の態様又は第２の態様において、親機端末のＣＰＵは、複数の子機端末から送信されてくる無線データを受信可能な受信時間を、複数の子機端末から親機端末に送信可能な無線データの送信時間と比較して短く設定するものである。
【００１１】
また、本発明の第４の態様である無線セキュリティ通報装置は、本発明の第１の態様乃至第４の態様において、親機端末のＣＰＵは、子機端末のセンサにて検出されるセキュリティ異常の相違に応じて表示部の表示内容を変更するプログラムを備えたものである。
【発明の効果】
【００１２】
本発明の無線セキュリティ通報装置によれば、少なくとも１つの子機端末との間で無線通信を行う親機端末のＣＰＵは、カードスロットに着脱自在に接続されたメモリカードから読み出したプログラム、又はＬＡＮ接続制御回路を経由して外部ネットワークから伝送されてくるプログラムをもとに、当該子機端末のセンサにて検出されるセキュリティ異常の情報を付与した無線データが受信されるデジタル制御型無線送受信回路を制御するためのプログラムを、子機端末毎の通信プロトコルに対応したプログラムへと容易に書き換えることができる。
【００１３】
また、本発明の無線セキュリティ通報装置によれば、親機端末のＣＰＵは、複数の子機端末から送信されてくる無線データを受信可能な受信時間を、複数の子機端末から親機端末に送信可能な無線データの送信時間と比較して短く設定することにより、複数の子機端末のセンサにてセキュリティ異常が検出された場合においても、表示部を用いて正常な報知を行うことができる。
【００１４】
さらに、本発明の無線セキュリティ通報装置によれば、親機端末のＣＰＵが有するプログラムをもとに、子機端末のセンサにて検出されるセキュリティ異常の相違に応じた報知を、表示部を用いて行うことができる。
【発明を実施するための最良の形態】
【００１５】
以下、本発明の無線セキュリティ通報装置を適用した最良の実施の形態例について、図面を参照して説明する。
【００１６】
図１は、本発明の実施例による無線セキュリティ通報装置の具体的な構成を示すブロック図である。この無線セキュリティ通報装置には、少なくとも１つの子機端末、ここでは、２つの子機端末（以下、第１、第２の各子機端末という。）１ａ、１ｂと、第１、第２の各子機端末１ａ、１ｂとの間で無線通信を行うための親機端末２とが設けられている。
【００１７】
第１、第２の各子機端末１ａ、１ｂはそれぞれ同様な構成であり、センサ１００、無線送受信回路１０１が備えられている。この子機端末１ａ、１ｂにおいて、センサ１００は、当該子機が設置される住戸窓、住戸扉、車等の安全確保箇所にて発生するセキュリティ異常、例えば、不審者等が窓や扉を壊して住戸内又は車内に侵入するようなセキュリティ異常を検出するためのものである。
【００１８】
無線送受信回路１０１は、センサ１００にて検出されたセキュリティ異常の情報が付与されたセキュリティ信号を、（電波の送受信、変復調における規則である）周波数チャンネル、変調方式、伝送速度、パケット構成等の所定の通信プロトコルに従った電波に重畳させて親機端末２に送信するためのものである。
【００１９】
また、親機端末２は、デジタル制御型無線送受信回路２００、表示部２０１、カードスロット２０２、ＬＡＮ接続制御回路２０３及びＣＰＵ２０４が備えられている。この親機端末２において、デジタル制御型無線送受信回路２００は、第１、第２の各子機端末１ａ、１ｂから所定の通信プロトコルに従った電波に重畳され送信されてくる無線データを受信し、通信プロトコル毎の伝送速度に従って復調を行うものである。
【００２０】
表示部２０１は、第１、第２の各子機端末１ａ、１ｂのセンサ１００にて検出されたセキュリティ異常の内容を示す例えば、文字メッセージや絵データ等を、センサ検出元の端末情報と併せて表示するためのものである。なお、表示部２０１としては、例えば、ＬＣＤ、有機ＥＬディスプレイ等の各種のモニタが好適とされる。
【００２１】
カードスロット２０２は、ＣＰＵ２０４が有するプログラムを、第１、第２の各子機端末１ａ、１ｂ、・・・毎の通信プロトコルに対応したプログラムに書き換えるためのメモリカード３が着脱自在に接続されるものである。
【００２２】
ＬＡＮ接続制御回路２０３は、ＣＰＵ２０４が有するプログラムを、第１、第２の各子機端末１ａ、１ｂ毎の通信プロトコルに対応したプログラムに書き換えるための例えば、ＴＣＰ／ＩＰ通信網等の外部ネットワーク４が接続されるものである。また、外部ネットワーク４には、例えば、住戸窓、住戸扉、車等の安全確保箇所を防犯管理する警備会社等に設置されたサーバ５を接続することができる。
【００２３】
ＣＰＵ２０４は、当該親機端末の構成各部／回路をそれぞれ制御するためのものである。具体的な制御として、ＣＰＵ２０４は、第１、第２の各子機端末１ａ、１ｂ毎の通信プロトコルに対応したプログラムでデジタル制御型無線送受信回路２００を制御することができる。また、ＣＰＵ２０４は、第１、第２の各子機端末１ａ、１ｂから所定の通信プロトコルに従った電波に重畳され送信されてくる無線データを受信可能な受信時間を、第１、第２の各子機端末１ａ、１ｂから親機端末２に送信可能な無線データの送信時間と比較して短く設定することができる。さらに、ＣＰＵ２０４は、第１、第２の各子機端末１ａ、１ｂのセンサ１００にて検出されるセキュリティ異常の相違に応じて表示部２０１の表示内容を変更するプログラム（以下、表示用プログラムという。）を有している。
【００２４】
以下、本発明の実施例による無線セキュリティ通報装置において、以下、具体的な動作について、図１、図２及び図３をそれぞれ参照して説明する。なお、図２（ａ）、（ｂ）は、第１、第２の各子機端末１ａ、１ｂがそれぞれ有する通信プロトコルの一例を示すパケット構成図である。また、図３は、第１、第２の各子機端末１ａ、１ｂから所定の通信プロトコルに従った電波に重畳され送信されてくる無線データを親機端末２にて受信可能な受信時間と、第１、第２の各子機端末１ａ、１ｂから親機端末２に送信可能な無線データの送信時間との比較の一例を示す説明図である。
【００２５】
最初に、図１に示す第１、第２の各子機端末１ａ、１ｂはそれぞれ、（電波の送受信、変復調における規則である）周波数チャンネル、変調方式、伝送速度、パケット構成等の所定の通信プロトコルを有している。ここで、第１の子機端末１ａが有する通信プロトコル（以下、第１の通信プロトコルという。）としては、例えば、図２（ａ）に示すように、電波の周波数チャンネル：４２９ＭＨｚ、電波の変調データ伝送速度：２４００ｂｐｓ、データパケット構成のビット同期：４１ｂｉｔ、データパケット構成の同期フレーム：３１ｂｉｔ、データパケット構成のセンサＩＤコード：３２ｂｉｔ、データパケット構成の異常状態データ：３２ｂｉｔがそれぞれ設定されているものとする。一方、第２の子機端末１ｂが有する通信プロトコル（以下、第２の通信プロトコルという。）としては、例えば、図２（ｂ）に示すように、電波の周波数チャンネル：４２６ＭＨｚ、電波の変調データ伝送速度：４８００ｂｐｓ、データパケット構成のビット同期：１００ｂｉｔ、データパケット構成の同期フレーム：３１ｂｉｔ、データパケット構成のセンサＩＤコード：６３ｂｉｔ、データパケット構成の異常状態データ：２ｂｉｔがそれぞれ設定されているものとする。
【００２６】
次に、第１の子機端末１ａが有する図２（ａ）に示す第１の通信プロトコルに対応したプログラムが親機端末２のＣＰＵ２０４に予め設定されている場合において、第１、第２の各子機端末１ａ、１ｂのうち例えば、第１の子機端末１ａのセンサ１００が住戸窓、住戸扉、車等の安全確保箇所にて発生したセキュリティ異常を検出すると、このセンサ１００は、検出したセキュリティ異常の情報を付与したセキュリティ信号Ｓ1aを生成して無線送受信回路１０１に送出する。また、第１の子機端末１ａの無線送受信回路１０１は、受信したセキュリティ信号Ｓ1aを無線データＳ2aに信号処理して親機端末２に送信するにあたり、第１の通信プロトコルに従った電波に重畳させる。
【００２７】
親機端末２のデジタル制御型無線送受信回路２００は、第１の子機端末１ａの無線送受信回路１０１から第１の通信プロトコルで送信されてきた周波数チャンネル：４２９ＭＨｚの無線データＳ2aを受信すると、２４００ｂｐｓの伝送速度に従って復調を行い、復調処理後の復調データＳ3aをＣＰＵ２０４に送出する。
【００２８】
親機端末２のＣＰＵ２０４は、デジタル制御型無線送受信回路２００より受信した復調データＳ3aを構成するビット同期：４１ｂｉｔの一致／不一致の判定を行い、一致が判定された場合にのみ、同期フレーム：３１ｂｉｔの一致／不一致の判定を行う。ここでは、ビット同期及び同期フレームがそれぞれ一致することから、これを判定したＣＰＵ２０４は、データパケット構成のセンサＩＤコード：３２ｂｉｔを読み取り、予め登録されている複数のＩＤコード（詳述せず。）と対比して、第１の子機端末１ａのセンサ１００の種別を判断する。この後、ＣＰＵ２０４は、データパケット構成の異常状態データ：３２ｂｉｔを読み取り、予め登録されている複数の異常状態データ（詳述せず。）と対比してセキュリティ異常の詳細を判断するとともに、判断された子機端末１ａのセンサ１００の種別情報及びセキュリティ異常の詳細を示す文字メッセージや絵データ等を、表示用プログラムの制御により表示部２０１に表示させて報知（警報報知）を行うことができる。
【００２９】
次に、第１の子機端末１ａが有する図２（ａ）に示す第１の通信プロトコルに対応したプログラムが親機端末２のＣＰＵ２０４に予め設定されている場合において、第１、第２の各子機端末１ａ、１ｂのうち例えば、第２の子機端末１ｂのセンサ１００が住戸窓、住戸扉、車等の安全確保箇所にて発生したセキュリティ異常を検出すると、このセンサ１００は、検出したセキュリティ異常の情報を付与したセキュリティ信号Ｓ1bを生成して無線送受信回路１０１に送出する。また、第２の子機端末１ｂの無線送受信回路１０１は、受信したセキュリティ信号Ｓ1bを無線データＳ2bに信号処理して親機端末２に送信するにあたり、第２の通信プロトコルに従った電波に重畳させる。
【００３０】
親機端末２のデジタル制御型無線送受信回路２００は、第２の子機端末１ｂの無線送受信回路１０１から第２の通信プロトコルで送信されてきた周波数チャンネル：４２６ＭＨｚの無線データＳ2bを受信すると、４８００ｂｐｓの伝送速度に従って復調を行い、復調処理後の復調データＳ3bをＣＰＵ２０４に送出する。
【００３１】
親機端末２のＣＰＵ２０４は、デジタル制御型無線送受信回路２００より受信した復調データＳ3bを構成するビット同期：１００ｂｉｔの一致／不一致の判定を行い、一致が判定された場合にのみ、同期フレーム：３１ｂｉｔの一致／不一致の判定を行う。ここでは、ビット同期が不一致であるため、これを判定したＣＰＵ２０４は、例えば、無線データＳ2bの電波がノイズである、或いは別途のシステムからの電波であるものと判断して、復調データＳ3bを無効なデータとして破棄する。
【００３２】
次に、第１の子機端末１ａが有する図２（ａ）に示す第１の通信プロトコルに対応したプログラムが親機端末２のＣＰＵ２０４に予め設定されている場合において、第１の通信プロトコルと異なる別途の通信プロトコルに対応したプログラム、例えば、第２の子機端末１ｂが有する図２（ｂ）に示す第２の通信プロトコルに対応したプログラムが予め記憶されているメモリカード３をカードスロット２０２に挿入すると、この挿入を検出したＣＰＵ２０４は、予め設定されている第１の通信プロトコルに対応したプログラムを、メモリカード３から読み出した第２の通信プロトコルに対応したプログラムへと容易に書き換えることができる。
【００３３】
ここで、第２の子機端末１ｂが有する図２（ｂ）に示す第２の通信プロトコルに対応したプログラムが親機端末２のＣＰＵ２０４に書き換えられて設定されている場合において、第１、第２の各子機端末１ａ、１ｂのうち例えば、第１の子機端末１ａのセンサ１００が住戸窓、住戸扉、車等の安全確保箇所にて発生したセキュリティ異常を検出したとき、親機端末２のデジタル制御型無線送受信回路２００は、前述の動作と同様、第１の子機端末１ａの無線送受信回路１０１から図２（ａ）に示す第１の通信プロトコルで送信されてきた周波数チャンネル：４２９ＭＨｚの無線データＳ2aを受信すると、２４００ｂｐｓの伝送速度に従って復調を行い、復調処理後の復調データＳ3aをＣＰＵ２０４に送出する。
【００３４】
親機端末２のＣＰＵ２０４は、デジタル制御型無線送受信回路２００より受信した復調データＳ3aを構成するビット同期：４１ｂｉｔの一致／不一致の判定を行うが、このビット同期が不一致であるため、これを判定したＣＰＵ２０４は、例えば、無線データＳ2aの電波がノイズである、或いは別途のシステムからの電波であるものと判断して、復調データＳ3aを無効なデータとして破棄する。
【００３５】
次に、第２の子機端末１ｂが有する図２（ｂ）に示す第２の通信プロトコルに対応したプログラムが親機端末２のＣＰＵ２０４に書き換えられて設定されている場合において、第１、第２の各子機端末１ａ、１ｂのうち例えば、第２の子機端末１ｂのセンサ１００が住戸窓、住戸扉、車等の安全確保箇所にて発生したセキュリティ異常を検出したとき、親機端末２のデジタル制御型無線送受信回路２００は、前述の動作と同様、第２の子機端末１ｂの無線送受信回路１０１から第２の通信プロトコルで送信されてきた周波数チャンネル：４２６ＭＨｚの無線データＳ2bを受信すると、４８００ｂｐｓの伝送速度に従って復調を行い、復調処理後の復調データＳ3bをＣＰＵ２０４に送出する。
【００３６】
親機端末２のＣＰＵ２０４は、デジタル制御型無線送受信回路２００より受信した復調データＳ3bを構成するビット同期：１００ｂｉｔの一致／不一致、同期フレーム：３１ｂｉｔの判定を順次行い、このビット同期及び同期フレームがそれぞれ一致することから、これを判定したＣＰＵ２０４は、データパケット構成のセンサＩＤコード：６３ｂｉｔを読み取り、予め登録されている複数のＩＤコードと対比してセンサ１００の種別を判断する。この後、ＣＰＵ２０４は、データパケット構成の異常状態データ：２ｂｉｔを読み取り、予め登録されている複数の異常状態データと対比してセキュリティ異常の詳細を判断するとともに、前述の判断された第１の子機端末１ｂのセンサ１００の種別情報及びセキュリティ異常の詳細を示す文字メッセージや絵データ等を、表示用プログラムの制御により表示部２０１に表示させて報知（警報報知）を行うことができる。
【００３７】
なお、前述までの説明においては、親機端末２のＣＰＵ２０４に予め設定された図２（ａ）に示す第１の通信プロトコルに対応したプログラムを、図２（ｂ）に示す第２の通信プロトコルに対応したプログラムに書き換えるにあたり、その書き換えに使用される媒体としてカードスロット２０２に挿入させたメモリカード３を適用したが、この態様に限定されるものではない。例えば、警備会社等のサーバ５にて設定され、ＴＣＰ／ＩＰ通信網等の外部ネットワーク４、ＬＡＮ接続制御回路２０３を順次経由して伝送されてくるデータをもとに、第１の通信プロトコルに対応したプログラムを、第２の通信プロトコルに対応したプログラムへと容易に書き換えることができる。
【００３８】
また、前述までの説明においては、第１、第２の各通信プロトコルのプログラムのうち何れか一方の当該プログラムのみを親機端末２のＣＰＵ２０４に設定したが、この態様に限定されるものではない。例えば、第１、第２の各通信プロトコルのプログラムをそれぞれ同時に親機端末２のＣＰＵ２０４に設定することもできる。このＣＰＵ２０４では、第１の通信プロトコルの周波数チャンネル：４２９ＭＨｚで一定時間内、例えば、１０ｍｓｅｃ内、第１の子機端末１ａから送信されてくる無線データＳ2aを親機端末２にて受信可能となる受信状態（以下、第１の受信状態という。）と、１０ｍｓｅｃの計時の後、第２の通信プロトコルの周波数チャンネル：４２６ＭＨｚで一定時間内、例えば、１０ｍｓｅｃ内、第２の子機端末１ｂから送信されてくる無線データＳ2bを親機端末２にて受信可能となる受信状態（以下、第２の受信状態という。）との状態遷移を、図３に示すように交互に繰り返し、それぞれの受信状態でデータパケット構成のビット同期を受信すると、その受信状態を維持する。
【００３９】
さらに、第１、第２の各子機端末１ａ、１ｂから親機端末２に送信されてくる無線データＳ2a、Ｓ2bの送信時間は、親機端末２の受信時間である前述の１０ｍｓｅｃよりも長く設定することができる。例えば、第１の子機端末１ａから親機端末２に送信されてくる無線データＳ2aの送信時間を、図３に示すように３２０ｍｓｅｃに設定すると、第１の子機端末１ａの無線送受信回路１０１は、データパケット構成のビット同期：４１ｂｉｔ、データパケット構成の同期フレーム：３１ｂｉｔ、データパケット構成のセンサＩＤコード：３２ｂｉｔ、データパケット構成の異常状態データ：３２ｂｉｔが１回送信される時間を５７ｍｓｅｃとして、このデータパケットを、図２（ａ）に示すように５回繰り返して親機端末２に送信することができる。
【００４０】
ここで、親機端末２のデジタル制御型無線送受信回路２００は、第１の受信状態である１０ｍｓｅｃの時間内において、第１の子機端末１ａの無線送受信回路１０１から第１の通信プロトコルで５回繰り返して送信されてきた周波数チャンネル：４２９ＭＨｚの無線データＳ2aのデータパケット構成であるビット同期：４１ｂｉｔを受信した場合、２４００ｂｐｓの伝送速度に従って復調を行い、復調処理後の復調データＳ3aをＣＰＵ２０４に送出する。
【００４１】
親機端末２のＣＰＵ２０４は、デジタル制御型無線送受信回路２００より受信した復調データＳ3aを構成するビット同期：４１ｂｉｔの一致／不一致、同期フレーム：３１ｂｉｔの判定を順次行い、このビット同期及び同期フレームがそれぞれ一致することから、これを判定したＣＰＵ２０４は、データパケット構成のセンサＩＤコード：３２ｂｉｔを読み取り、予め登録されている複数のＩＤコードと対比してセンサ１００の種別を判断する。この後、ＣＰＵ２０４は、データパケット構成の異常状態データ：３２ｂｉｔを読み取り、予め登録されている複数の異常状態データと対比してセキュリティ異常の詳細を判断するとともに、前述の判断された子機端末１ａのセンサ１００の種別情報及びセキュリティ異常の詳細を示す文字メッセージや絵データ等を、表示用プログラムの制御により表示部２０１に表示させて報知（警報報知）を行うことができる。
【００４２】
一方、第１の子機端末１ａの無線送受信回路１０１から第１の通信プロトコルで５回繰り返して送信されてきた周波数チャンネル：４２９ＭＨｚの無線データＳ2aを受信したとき、第２の受信状態である１０ｍｓｅｃの時間内であった場合、これを判定した親機端末２のＣＰＵ２０４は、例えば、無線データＳ2aの電波がノイズである、或いは別途のシステムからの電波であるものと判断して、復調データＳ3aを無効なデータとして破棄する。
【００４３】
次に、第２の子機端末１ｂから親機端末２に送信される無線データＳ3bの送信時間を、図３に示すように５５０ｍｓｅｃに設定すると、第２の子機端末１ｂの無線送受信回路１０１は、データパケット構成のビット同期：１００ｂｉｔ、データパケット構成の同期フレーム：３１ｂｉｔ、データパケット構成のセンサＩＤコード：６３ｂｉｔ、データパケット構成の異常状態データ：２ｂｉｔが１回送信される時間を４１ｍｓｅｃとして、このデータパケットを、図２（ｂ）に示すように１３回繰り返して親機端末２に送信することができる。
【００４４】
ここで、親機端末２のデジタル制御型無線送受信回路２００は、第２の受信状態である１０ｍｓｅｃの時間内において、第２の子機端末１ｂの無線送受信回路１０１から第２の通信プロトコルで１３回繰り返して送信されてきた周波数チャンネル：４２６ＭＨｚの無線データＳ2bのデータパケット構成であるビット同期：１００ｂｉｔを受信した場合、４８００ｂｐｓの伝送速度に従って復調を行い、復調処理後の復調データＳ3bをＣＰＵ２０４に送出する。
【００４５】
親機端末２のＣＰＵ２０４は、デジタル制御型無線送受信回路２００より受信した復調データＳ3bを構成するビット同期：１００ｂｉｔの一致／不一致、同期フレーム：３１ｂｉｔの一致／不一致の判定を順次行い、このビット同期及び同期フレームがそれぞれ一致することから、これを判定したＣＰＵ２０４は、データパケット構成のセンサＩＤコード：６３ｂｉｔを読み取り、予め登録されている複数のＩＤコードと対比してセンサ１００の種別を判断した後、データパケット構成の異常状態データ：２ｂｉｔを読み取り、予め登録されている複数の異常状態データと対比してセキュリティ異常の詳細を判断する。この後、ＣＰＵ２０４は、前述の判断された第２の子機端末１ｂのセンサ１００の種別情報及びセキュリティ異常の詳細を示す文字メッセージや絵データ等を、表示用プログラムの制御により表示部２０１に表示させて報知（警報報知）を行うことができる。
【００４６】
一方、第２の子機端末１ｂの無線送受信回路１０１から第２の通信プロトコルで１３回繰り返して送信されてきた周波数チャンネル：４２６ＭＨｚの無線データＳ2bを受信したとき、第１の受信状態である１０ｍｓｅｃの時間内であった場合、これを判定した親機端末２のＣＰＵ２０４は、例えば、無線データＳ2bの電波がノイズである、或いは別途のシステムからの電波であるものと判断して、復調データＳ3bを無効なデータとして破棄する。
【００４７】
なお、本発明の実施例においては、親機端末２との間で無線通信を行う少なくとも１つの子機端末として、第１、第２の子機端末１ａ、１ｂのように２つの子機端末を適用したが、この台数に限定されるものではなく、より複数の子機端末を適用することもできる。
【００４８】
本発明の無線セキュリティ通報装置においては、特定の実施の形態をもって説明してきたが、この形態に限定されるものでなく、本発明の効果を奏する限り、これまで知られた如何なる構成の無線セキュリティ通報装置であっても採用できるということはいうまでもないことである。
【図面の簡単な説明】
【００４９】
【図１】図１は、本発明の実施例による無線セキュリティ通報装置の具体的な構成を示すブロック図である。
【図２】図２（ａ）、（ｂ）はそれぞれ、本発明の実施例による無線セキュリティ通報装置において、（少なくとも１つの）子機端末が有する通信プロトコルの一例を示すパケット構成図である。
【図３】図３は、本発明の実施例による無線セキュリティ通報装置において、複数の子機端末から所定の通信プロトコルに従った電波に重畳され送信されてくる無線データを受信可能な受信時間と、複数の子機端末から親機端末に送信可能な無線データの送信時間との比較の一例を示す説明図である。
【符号の説明】
【００５０】
１ａ、１ｂ……第１、第２の各子機端末（少なくとも１つの子機端末、複数の子機端末）
１００……センサ
１０１……無線送受信回路
２……親機端末
２００……デジタル制御型無線送受信回路
２０１……表示部
２０２……カードスロット
２０３……ＬＡＮ接続制御回路
２０４……ＣＰＵ
３……メモリカード
４……外部ネットワーク
【図１】
2008061004.tif 000003
【図２】
2008061004.tif 000004
【図３】
2008061004.tif 000005